(57)【要約】【課題】清掃体を容易に交換でき、放電針に無理な力が掛からず、清掃を簡易に行うことができるイオン発生装置を提供する。【解決手段】分離又は開閉可能な筐体６に収容された放電針８の大気圧コロナ放電によりイオンを発生させるイオン発生装置であって、筐体６の蓋体６ｂに形成された長孔３３ｂと、放電針８を清掃する清掃体１８と、筐体６の内側に設けられており、清掃体１８を案内する第１案内溝３２及び第２案内溝３３と、清掃体１８に突設されており、第１案内溝３２及び第２案内溝３３に清掃体１８の移動域で移動させる操作部２０ｂとを有し、操作部２０ｂは、長孔３３ｂから突出しており、清掃体１８の移動域に対応する長孔３３ｂで移動可能になっている。【選択図】図３
2010027390.tif 000002
【特許請求の範囲】
【請求項１】
放電針の放電によりイオンを発生させるイオン発生装置において、
前記放電針を清掃する交換可能な清掃体と、
該清掃体を取り出し可能に収容する筐体と、
該筐体の内側に設けられており、前記清掃体の移動を案内する案内部と、
前記清掃体に突設された操作部と、
前記清掃体の移動域に対応して前記筐体に形成されており、前記操作部が突出する孔と
を有することを特徴とするイオン発生装置。
【請求項２】
前記筐体は、無蓋の筐体本体と、該筐体本体に覆設された蓋体とからなっており、
前記案内部は、前記筐体本体の内側に形成された第１案内溝と、該第１案内溝に対向して前記蓋体に形成された第２案内溝とからなっており、
前記孔は、前記第２案内溝に沿って形成されていることを特徴とする請求項１に記載のイオン発生装置。
【請求項３】
前記蓋体は前記筐体本体に開閉可能に枢支されていることを特徴とする請求項２に記載のイオン発生装置。
【請求項４】
前記清掃体は前記案内部に嵌脱可能になっていることを特徴とする請求項２又は３に記載のイオン発生装置。
【請求項５】
前記清掃体は、
前記案内部に摺接する摺接部と、
該摺接部にて前記移動域と交差する方向に突設されており、前記放電針を清掃する清掃部と
を有することを特徴とする請求項１から４までのいずれか一つに記載のイオン発生装置。
【請求項６】
前記清掃部はブラシからなっていることを特徴とする請求項５に記載のイオン発生装置。
【請求項７】
前記清掃部は、棒状をなしており、
該清掃部の先端部に前記放電針が出入可能に設けられた清掃室と、
該清掃室に前記放電針に圧接可能に設けられた清掃手段と
を備えていることを特徴とする請求項５に記載のイオン発生装置。
【請求項８】
前記清掃手段は前記清掃室の対向部分にそれぞれ設けられたブラシからなっていることを特徴とする請求項７に記載のイオン発生装置。
【請求項９】
前記清掃体は前記清掃部を複数有することを特徴とする請求項５から８までのいずれか一つに記載のイオン発生装置。
【請求項１０】
前記請求項１から９までのいずれか一つに記載のイオン発生装置と、
該イオン発生装置により発生したイオンを吹き出すイオン吹出口と
を備えることを特徴とする電気機器。
【発明の詳細な説明】
【技術分野】
【０００１】
本発明は、イオンを空気中に発生させるイオン発生装置及び該イオン発生装置を備える電気機器に関する。
【背景技術】
【０００２】
近年、イオン発生装置により正イオン及び負イオン（マイナスイオン）を発生させて、除菌、消臭又はリフレッシュ機能等を持たせた空気清浄機及び除湿器等の電気機器が提供されている。
イオンを発生させる方法としては、大気圧中で針電極に高電圧を印加することで電気的に発生させるコロナ放電が知られている。コロナ放電を利用して、針電極及びアース電極の位置構成により、オゾン及びマイナスイオンの発生量を調整し、消臭及び癒し効果作用を付与したオゾン及びマイナスイオン発生装置が提案されている（例えば特許文献１）。
またコロナ放電を利用したものとして、空気イオンを生成して静電気を中和するコロナ放電式除電器が提案されている（例えば特許文献２〜４を参照）。
【０００３】
このようなコロナ放電を利用したイオン発生装置では、使用する環境によって、放電電極の放電針の針先に、帯電した塵埃などが吸着することがある。放電針の針先に塵埃が吸着して堆積した場合、コロナ放電が発生しにくくなり、イオン発生性能が低下する。このため、定期的に放電針の針先の清掃を行うことが望ましいとされている。
【０００４】
特許文献２に示すコロナ放電式除電器では、一定期間使用した場合、外部からの人手による放電針の清掃を避けるため、除電器自体に放電針を清掃するための清掃機構を設けている。この清掃機構は、放電針の近傍に設けられた清掃手段のブラシをアクチュエータにより放電針の先端に接触するように移動させて清掃している。清掃機構で払われた塵埃は真空吸引又は圧縮空気供給により排出されている。
【特許文献１】特開２００４−１８３４８号公報
【特許文献２】特開２００２−４３０９２号公報
【特許文献３】特開２００７−２８０７０１号公報
【特許文献４】特開２００７−２９３０６６号公報
【発明の開示】
【発明が解決しようとする課題】
【０００５】
しかしながら、従来のような清掃機構を備えたイオン発生装置では、真空吸引などのため密閉可能な構造になっている。密閉構造の必要上、取外しが容易にできないように清掃手段のブラシが配設されているため、長期に使用した場合、清掃手段に用いているブラシがへたってしまい、清掃効果が低下するという課題があり、改善の余地がある。
また、不用意に人手で放電針の清掃を行った場合、放電針の先端部を傷めることがあり、さらに放電針自体に無理な力が掛かり、放電針を歪め、放電針の取付部を損ねてしまうといったことが懸念された。
【０００６】
本発明は、このような事情に鑑みてなされたものであって、その目的とするところは、筐体から取り出し交換可能な清掃体を操作部で操作して放電針を清掃する構成を備えているので、清掃体を容易に交換でき、放電針に無理な力が掛からず、清掃を簡易に行うことができるイオン発生装置及び電気機器を提供することにある。
【課題を解決するための手段】
【０００７】
本発明のイオン発生装置は、放電針の放電によりイオンを発生させるイオン発生装置において、前記放電針を清掃する交換可能な清掃体と、該清掃体を取り出し可能に収容する筐体と、該筐体の内側に設けられており、前記清掃体の移動を案内する案内部と、前記清掃体に突設された操作部と、前記清掃体の移動域に対応して前記筐体に形成されており、前記操作部が突出する孔とを有することを特徴とする。
【０００８】
このような構成の本発明のイオン発生装置では、筐体の孔から突出する操作部により清掃体を移動させる場合、孔に沿って操作部を移動させたとき、清掃体は、案内部に案内されて移動域を移動し、放電針を清掃する。清掃体を交換する場合、筐体から清掃体を取り出して交換する。清掃体を交換後、筐体は清掃体を移動可能に収容する。
【０００９】
本発明のイオン発生装置は、前記筐体は、無蓋の筐体本体と、該筐体本体に覆設された蓋体とからなっており、前記案内部は、前記筐体本体の内側に形成された第１案内溝と、該第１案内溝に対向して前記蓋体に形成された第２案内溝とからなっており、前記孔は、前記第２案内溝に沿って形成されていることを特徴とする。
【００１０】
このような構成の本発明のイオン発生装置では、筐体の孔から突出する操作部により清掃体を移動させる場合、孔に沿って操作部を移動させたとき、清掃体は、案内部の第１及び第２案内溝に案内されて移動域を移動し、放電針を清掃する。
清掃体の清掃効率が低下してきた場合、筐体から蓋体を取り外して、清掃体を交換する。
清掃体を交換後、筐体本体に蓋体で蓋をしたとき、筐体は清掃体を移動可能に収容する。
【００１１】
本発明のイオン発生装置は、前記蓋体は前記筐体本体に開閉可能に枢支されていることを特徴とする。
【００１２】
このような構成の本発明のイオン発生装置では、清掃体の清掃効率が低下してきた場合、筐体本体から蓋体を開き、清掃体を交換する。清掃体を交換後、蓋体を閉じて筐体本体に蓋をしたとき、筐体は清掃体を移動可能に収容する。
【００１３】
本発明のイオン発生装置は、前記清掃体は前記案内部に嵌脱可能になっていることを特徴とする。
【００１４】
このような構成の本発明のイオン発生装置では、清掃体の清掃効率が低下してきた場合、筐体本体と蓋体とを分離した後又は筐体本体から蓋体を開いた後、清掃体を案内部から抜き出して交換する。新しい清掃体に交換する場合、新しい清掃体が案内部に嵌入する。
【００１５】
本発明のイオン発生装置は、前記清掃体は、前記案内部に摺接する摺接部と、該摺接部にて前記移動域と交差する方向に突設されており、前記放電針を清掃する清掃部とを有することを特徴とする。
【００１６】
このような構成の本発明のイオン発生装置では、清掃体の摺接部が案内部を摺動し、清掃部が放電針を清掃する。
【００１７】
本発明のイオン発生装置は、前記清掃部はブラシからなっていることを特徴とする。
【００１８】
このような構成の本発明のイオン発生装置では、清掃体の摺接部が案内部を摺動したとき、ブラシが放電針に無理な力を掛けずに圧接して清掃する。
【００１９】
本発明のイオン発生装置は、前記清掃部は、棒状をなしており、該清掃部の先端部に前記放電針が出入可能に設けられた清掃室と、該清掃室に前記放電針に圧接可能に設けられた清掃手段とを備えていることを特徴とする。
【００２０】
このような構成の本発明のイオン発生装置では、清掃体の摺接部が案内部を摺動し、放電針が清掃部の清掃室に入室又は退室する。放電針が清掃室に入室又は退室するとき、清掃室の清掃手段が放電針に圧接して清掃する。
【００２１】
本発明のイオン発生装置は、前記清掃手段は前記清掃室の対向部分にそれぞれ設けられたブラシからなっていることを特徴とする。
【００２２】
このような構成の本発明のイオン発生装置では、清掃体の摺接部が案内部を摺動し、放電針が清掃部の清掃室に入室又は退室する。放電針が清掃室に入室又は退室するとき、清掃室の対向するブラシが、放電針を両側から挟むように圧接して清掃する。
【００２３】
本発明のイオン発生装置は、前記清掃体は前記清掃部を複数有することを特徴とする。
【００２４】
このような構成の本発明のイオン発生装置では、例えば放電針が複数本ある場合、清掃体の複数の清掃部が放電針をそれぞれ清掃する。
【００２５】
本発明の電気機器は、前述のイオン発生装置と、該イオン発生装置により発生したイオンを吹き出すイオン吹出口とを備えることを特徴とする。
【００２６】
このような構成の本発明の電気機器では、イオン発生装置により発生させた正イオン及び負イオンのいずれか、又は両方が、イオン吹出口から吹き出す。
【発明の効果】
【００２７】
本発明のイオン発生装置は、筐体から取り出し交換可能な清掃体を操作部で操作して放電針を清掃しているので、長期の使用により清掃手段に用いているブラシがへたってしまった場合、筐体から清掃体を取り出して、新しい清掃手段のブラシを有する清掃体に簡単に交換することができるという効果を有する。また操作部の操作により、放電針に無理な力が掛からず、放電針の清掃を簡易に行うことができ、付着物によるイオン性能の低下を防止することができるという効果を有する。
したがって、本発明のイオン発生装置は、長期にわたる使用が可能になる。
また本発明の電気機器は、前述のイオン発生装置を備えているので、イオン発生効率を落とさず長期間使用することができるという効果を有する。
【発明を実施するための最良の形態】
【００２８】
以下、図面に基づき、本発明によるイオン発生装置の好適な実施の形態を説明する。
（実施の形態１）
図１は本発明の実施の形態１に係るイオン発生装置内部の概略構成図、図２はイオン発生装置を示す外観図、図３はイオン発生装置を示す図２のＩＩＩ−ＩＩＩ側断面図、図４は清掃体を示す斜視図、図５は清掃体に係る清掃部のブラシ室に入室した放電針を示す側面図、図６はブラシ室の下面を示す図５のＶＩ−ＶＩ断面図である。
実施の形態１に係るイオン発生装置は、イオンを発生させるイオン発生部２と、イオン発生部２に高電圧を印加する高電圧発生回路４と、イオン発生部２に静電吸着した塵埃などを清掃する清掃体１８と、これらを収容した直方体状の筐体６とを備える。
【００２９】
筐体６は、無蓋矩形箱状の筐体本体６ａと、矩形蓋状の蓋体６ｂとを有する。蓋体６ｂは、筐体本体６ａに覆設されており、スプリングワッシャ付きのビス５ａ、５ｂ、５ｃ、５ｄ（場合により「ビス５」で代表する。以下同様の代表記載とした）で四隅を固定されている。
蓋体６ｂは筐体本体６ａから容易に分離可能になっている。蓋体６ｂ上面の略中央部にはイオン放出口７が形成されている。
蓋体６ｂの長手方向の一側部に長孔３３ｂが形成されており、清掃体１８をスライドさせるための操作部２０ｂが長孔３３ｂから突出している。
清掃体１８は蓋体６ｂを取り外すことにより容易に交換可能になっている。
【００３０】
高電圧発生回路４の高電圧は、正又は負の直流高電圧、交流高電圧、正又は負のパルス高電圧であり、正負にバイアス可能になっている。また高電圧発生回路４の電圧値は、放電を発生させるのに十分な値になっている。
【００３１】
イオン発生部２は、イオン発生用の放電針８及び誘導電極１２と、矩形状の回路基板１０とを備える。放電針８及び誘導電極１２は回路基板１０に立設されている。
放電針８は円柱状をなし、先端部８ａが先細りのテーパ状になっている。誘導電極１２は、側面視逆Ｌ字状をなし、放電針８の近傍に設置されている。誘導電極１２は、回路基板１０に植設された矩形状の脚部１２ａと、脚部１２ａの上端から横方向に延出された矩形状の天板部１２ｂとを有する。
【００３２】
天板部１２ｂの略中央部に、放電針８の直径よりも大径の開口部１２ｃが、放電針８と同心に形成されている。放電針８の先端は、誘導電極１２の天板部１２ｂの開口部１２ｃから突出している。開口部１２ｃの周縁は放電針８の先端部８ａに対向している。
誘導電極１２の開口部１２ｃは、蓋体６ｂのイオン放出口７と略同心になっており、イオン放出口７よりも小径にしている。
【００３３】
放電針８及び誘導電極１２は高電圧発生回路４に接続されている（図１を参照）。放電針８と誘導電極１２との間に高電圧が印加された場合、放電針８の針先で大気圧コロナ放電が発生するようにしている。コロナ放電により生成されたイオンが、誘導電極１２の開口部１２ｃを経て、筐体６のイオン放出口７から放出されるようになっている。
【００３４】
イオン発生部２に隣接して、放電針８の先端部８ａに吸着した塵埃を除去して清掃するための清掃体１８が、筐体６の長手方向の一側部側に沿って収容されている（図１を参照）。
【００３５】
清掃体１８は、筐体６内を手動で移動可能な直方体状の摺接部２０と、摺接部２０の長手方向の側面の略中央部に突設された角柱状の基台２２と、基台２２側面の略中央部に突設された角棒状の清掃部２３とを有する。清掃部２３の上面は蓋体６ｂの天井面と対向している。
【００３６】
摺接部２０の下面部２０ｃは、筐体本体６ａの底部に形成された第１案内溝３２に摺接しており、摺接部２０はイオン発生部２の放電針８に対して横方向に移動可能になっている。第１案内溝３２に対向して、蓋体６ｂの天井面に第２案内溝３３が形成されており、摺接部２０の上面部２０ａは第２案内溝３３に摺接している。第１案内溝３２及び第２案内溝３３は清掃体１８を案内する案内部を構成している。
基台２２の下面２２ｂは、第１案内溝３２における筐体本体６ａの奥部側の側縁部３２ａに対向している。基台２２の上面２２ａは、第２案内溝３３における蓋体６ｂの奥部側の側縁部３３ａに対向している。
【００３７】
清掃部２３は、摺接部２０の長手方向と交差する方向であって、筐体６の奥部側に突出している（図１を参照）。
図４に示すように、摺接部２０の上面部２０ａの一端側に、摺接部２０を手動でスライドさせる場合に抓みとなる直方体状の操作部２０ｂが、長手方向を摺接部２０の長手方向と同方向にして形成されている。
【００３８】
清掃部２３の長手方向の端部側に、横向きに貫通した角孔状のブラシ室２４が形成されている。ブラシ室２４の一方の開口端２７ａから他方の開口端２７ｂにわたって、切り欠き溝状の孔２５ｂが、ブラシ室２４の底部２５ａに形成されている。ブラシ室２４は孔２５ｂを介して清掃部２３の下方空間と連通している。
【００３９】
ブラシ室２４の対面する内壁２６ａ、２６ｂに、繊維状の樹脂２８ａ、２８ｂが、ブラシ室２４の内壁２６ａ、２６ｂから中央領域まで、それぞれ交互に、略水平に植設されている。植設された数多くの樹脂２８ａ、２８ｂは、それぞれブラシ２９ａ、２９ｂになっている。
樹脂２８ａ、２８ｂの植設方向は清掃部２３の長手方向と一致させている。即ち、ブラシ２９ａ、２９ｂのそれぞれの樹脂２８ａ、２８ｂは、開口端２７ａ、２７ｂの開口面と略平行になっている。
【００４０】
図５に示すように、放電針８の先端部８ａは、孔２５ｂを通り清掃部２３のブラシ室２４に入室又は退室するようになっている。
放電針８の先端部８ａが横方向から孔２５ｂを通ってブラシ室２４の中央領域に入室したとき、内壁２６ａ側のブラシ２９ａ及び内壁２６ｂ側のブラシ２９ｂが、放電針８の先端部８ａにそれぞれ両側から挟み込むように圧接し、先端部８ａの先端がブラシ室２４の天井面に間隙を介して対向するようになっている（図３を参照）。
【００４１】
摺接部２０が横方向に移動する場合、図６に示すように、放電針８がブラシ２９ａ、２９ｂに圧接してブラシ室２４に入室又は退室し易くするために、孔２５ｂの開口端２７ａ、２７ｂ側は、孔２５ｂの奥部側よりも幅広く形成されている。孔２５ｂの奥部側の幅の寸法は放電針８の直径よりも少し広くしている。
【００４２】
なお、ブラシ室２４は角孔状をなしているが、これに限られない。ブラシ室２４は、ブラシ２９ａ、２９ｂを対向させて備えることができ、放電針８の先端部８ａが入退室可能であればどのような形態でも差し支えない。
【００４３】
図７は実施の形態１に係る筐体の部分側断面図である。
筐体本体６ａの長手方向の一側部側の底部に、摺接部２０を支持して案内する矩形状の第１案内溝３２が、筐体本体６ａの長手方向と同方向に形成されている（図１を参照）。
図３及び図７に示すように、筐体本体６ａの側断面視凹字状の第１案内溝３２に対向して摺接部２０を案内する第２案内溝３３は、側断面視逆凹字状をなしている。
【００４４】
第２案内溝３３は矩形状をなしており、第１案内溝３２及び第２案内溝３３は、長手方向の寸法及び溝幅の寸法を同寸法にしている。
第１案内溝３２及び第２案内溝３３は摺接部２０の上面部２０ａ及び下面部２０ｃを挟み込む構造をしており、摺接部２０の移動域を制限するようにしている。即ち、清掃体１８の摺接部２０の上部は第２案内溝３３に嵌入し、下部は第１案内溝３２に嵌入しており、摺接部２０は第１案内溝３２及び第２案内溝３３を摺動自在になっている。
【００４５】
筐体本体６ａに蓋体６ｂを覆設したとき、第１案内溝３２における筐体本体６ａの奥部側の側縁部３２ａと、清掃体１８の基台２２の下面２２ｂとは、摺接するようになっていてもよい。さらに第２案内溝３３における蓋体６ｂの奥部側の側縁部３３ａは、基台２２の上面２２ａに摺接していてもよい。
側縁部３２ａ、３３ａが基台２２の両面に摺接した場合、清掃体１８は、正確に位置決めされ、移動域で移動するとき、滑動してぶれが生じない。
【００４６】
第２案内溝３３の天井部に長手方向に沿って長孔３３ｂが貫通している。長孔３３ｂから摺接部２０の操作部２０ｂが突出している（図２を参照）。操作部２０ｂは摺接部２０の移動域で長孔３３ｂ内の側をスライド操作可能になっている。
【００４７】
筐体本体６ａの四隅に螺子孔９が形成されている。蓋体６ｂの四隅にビス５が貫通する貫通孔１１が形成されている。貫通孔１１には段部１１ａが形成されており、スプリングワッシャ付きのビス５のスプリングワッシャ５ｅが、段部１１ａで係止されるようになっている。
スプリングワッシャ付きのビス５は、蓋体６ｂの貫通孔１１を挿通して、筐体本体６ａの螺子孔９に螺合するようになっており、スプリングワッシャ５ｅが段部１１ａで弾性変形して圧接する。
【００４８】
なお、イオン発生装置の筐体６内は高電圧になるため、イオン発生部２を除き、各機能素子（例えば高電圧発生回路４）には電気的に接続された状態で適宜モールドを施して絶縁性を強化しておくのが望ましい。
【００４９】
次に実施の形態１の作用について説明する。
実施の形態１に係るイオン発生装置では、負イオンを生成する場合、先ず、大気圧中で高電圧発生回路４により放電針８に負極性の高電圧を印加したとき、放電針８の先端部８ａの針先で負コロナ放電が発生する。負コロナ放電が発生したとき、針先近傍にプラズマが発生し、正イオン及び負イオンが生成する。
【００５０】
ここで正イオン及び負イオンは、正極性及び負極性の帯電微粒子である。例えば正イオンは水素イオンの周囲に複数の水分子が付随したクラスタイオンであり、負イオンは酸素イオンの周囲に複数の水分子が付随したクラスタイオンである。
【００５１】
次に、放電針８に印加する高電圧が負極性であるため、正イオンは電界によって放電針８に直ちに吸引されて消滅する。負イオンは、イオン放出口７から放出される。
【００５２】
正イオンを生成する場合、先ず、大気圧中で高電圧発生回路４により放電針８に正極性の高電圧を印加したとき、放電針８の先端部８ａの針先で正コロナ放電が発生する。正コロナ放電が発生したとき、針先近傍にプラズマが発生し、正イオン及び負イオンが生成する。
【００５３】
次に、放電針８に印加する高電圧が正極性であるため、負イオンは電界によって放電針８に直ちに吸引されて消滅する。正イオンは、イオン放出口７から放出される。
【００５４】
高電圧発生回路４により放電針８に正極性及び負極性の高電圧を交互に印加した場合、正イオン及び負イオンが、イオン放出口７から交互に放出される。
【００５５】
実施の形態１に係るイオン発生装置から放出された正イオン及び負イオンは、相互作用により空気中ウイルスを大きく不活性にして、空気環境を浄化する。
【００５６】
放電針８には、高電圧が印加されているため、集塵作用があり、帯電した塵埃が吸着し、堆積する。放電針８に塵埃が堆積した場合、コロナ放電が発生しにくくなり、イオン発生性能が低下する。
イオン発生性能が低下した場合又は一定の使用期間経過した場合、放電針８の先端部８ａを清掃する。
放電針８の先端部８ａを清掃する場合、先ず、操作部２０ｂを長孔３３ｂに沿ってスライドさせたとき、清掃体１８の摺接部２０が第１案内溝３２を摺動して移動域を移動し、第１案内溝３２及び第２案内溝３３が摺接部２０を案内する。
【００５７】
次に、摺接部２０が移動したとき、放電針８の先端部８ａは、横方向から清掃体１８の清掃部２３の孔２５ｂを通ってブラシ室２４に入室していく。放電針８の先端部８ａがブラシ室２４に入室又は退室していくとき、ブラシ２９ａ及びブラシ２９ｂは放電針８の先端部８ａに圧接して、先端部８ａの表面に吸着した塵埃を除去し、清掃する。
【００５８】
次いで、操作部２０ｂのスライドの往復を複数回繰り返して、放電針８の先端部８ａの清掃をする。
そして、放電針８の先端部８ａの清掃が終了した場合、イオン発生装置が使用開始可能状態になる。
【００５９】
イオン発生装置の清掃体１８を交換する場合、ビス５の螺合を解除し、筐体本体６ａから蓋体６ｂを取り外す。筐体本体６ａの第１案内溝３２から清掃体１８の摺接部２０を抜き出して、清掃体１８を交換する。第１案内溝３２に清掃体１８の摺接部２０の下部を嵌入させて清掃体１８を交換後、筐体本体６ａに蓋体６ｂで蓋をして、ビス５で蓋体６ｂを筐体本体６ａに固定する（図７の黒矢印参照）。
【００６０】
このように実施の形態１に係るイオン発生装置では、清掃部２３のブラシ２９ａ、２９ｂにより放電針８の先端部８ａに吸着・堆積した塵埃を除去することができる。また放電針８の先端部８ａにそれぞれ両側からブラシ２９ａ、２９ｂが圧接するため、先端部８ａに無理な力がかからないように清掃することができる。さらに蓋体６ｂを取り外すことにより容易に清掃体１８を交換することができる。
【００６１】
なお、実施の形態１では摺接部２０の基台２２に清掃部２３を突設したが、基台２２はなくても差し支えない。つまり、摺接部２０の側面に清掃部２３を突設してもよい。
【００６２】
（実施の形態２）
次に実施の形態２について説明する。
実施の形態２に係る清掃体１８は、実施の形態１に係る清掃体１８の清掃部２３が異なるのみでその他の構成は同様である。
【００６３】
図８は実施の形態２に係る清掃体を示す側面図である。
なお、実施の形態１と実質的に同一又は対応する部材には同一符号を用い、以下同様とした。
実施の形態２に係る清掃体１８は、筐体６内を手動で移動可能な直方体状の摺接部２０と、摺接部２０の長手方向の側面の略中央部に突設された角柱状の基台２２と、摺接部２０の長手方向と交差する方向であって、基台２２側面の略中央部に多数植設された繊維状の樹脂からなるブラシ３６とを有する。
【００６４】
摺接部２０が移動したとき、ブラシ３６の先端部３６ａは放電針８の先端部８ａに圧接するようになっている。ブラシ３６が、放電針８の先端部８ａに圧接して、先端部３６ａを押圧したとき、回路基板１０に立設された放電針８に無理な力がかからないように、ブラシ３６の硬さを選定している。即ち、ブラシ３６の押圧力に対して、放電針８を立設した回路基板１０が変形しない程度の強度であればよい。
その他の構成及び作用効果は実施の形態１と同様であるので詳細な説明を省略する。
【００６５】
このように実施の形態２に係るイオン発生装置では、清掃体１８のブラシ３６により放電針８の先端部８ａに吸着・堆積した塵埃を除去することができ、放電針８の先端部８ａに無理な力がかからないように清掃することができる。また蓋体６ｂを取り外すことにより容易に清掃体１８を交換することができる。
【００６６】
（実施の形態３）
次に実施の形態３について説明する。
実施の形態１及び２では、筐体６の筐体本体６ａ及び蓋体６ｂがビス５で四隅が固定されており、清掃体１８の交換時に分離可能な構造である。これに対して、実施の形態３に係る筐体６では、蓋体６ｂを扉状に開閉可能にしたものである。その他の構成は実施の形態１と同様であるので詳細な説明を省略する。
【００６７】
図９は実施の形態３に係る筐体を示す斜視図である。
実施の形態３に係る筐体６は筐体本体６ａ及び蓋体６ｂからなり、蓋体６ｂの長手方向の一側部の両端が、筐体本体６ａの一側部の両端にヒンジ１３、１３で枢支されている。
蓋体６ｂの他側部の両角部に、ビス５ａ、５ｂを挿通可能な貫通孔１１がそれぞれ形成されている。筐体本体６ａの他側部の両角部に蓋体６ｂの貫通孔１１、１１に対応して、螺子孔９、９が形成されている（図７を参照）。
【００６８】
このような実施の形態３に係る筐体６では、清掃体１８を交換する場合、ビス５ａ、５ｂの螺合を解除して、ビス５ａ、５ｂを取り外す。蓋体６ｂをヒンジ１３により回転させて開ける（図９の白抜き矢印参照）。蓋体６ｂが開いたとき、筐体本体６ａの第１案内溝３２から清掃体１８の摺接部２０を抜き出して、清掃体１８を交換する。第１案内溝３２に清掃体１８の摺接部２０の下部を嵌入させて清掃体１８を交換後、蓋体６ｂを閉じる（図９の白抜き矢印参照）。蓋体６ｂを閉じた後、ビス５ａ、５ｂで蓋体６ｂの他側部を筐体本体６ａに固定する。
【００６９】
このように実施の形態３に係る筐体６では、清掃体１８の交換時に、筐体６が開閉可能な構造であるので、容易に清掃体１８を交換することができる。
【００７０】
なお、実施の形態３では筐体６のヒンジ１３、１３は筐体６の長手方向に沿って設けたが、これに限らず、筐体６の短手方向に沿って設けて、開閉するようにしてもよい。ビス５の位置も適宜変更が可能である。
【００７１】
（実施の形態４）
次に実施の形態４について説明する。
実施の形態４に係るイオン発生装置は、イオン発生部を複数個、例えば正イオン発生部及び負イオン発生部の独立した二個のイオン発生部を有し、それぞれのイオン発生部に対応して清掃体１８の清掃部を設けたものであり、その他の構成は実施の形態１と同様である。
【００７２】
図１０は実施の形態４に係るイオン発生装置の概略構成図、図１１はイオン発生装置を示す外観図である。
実施の形態４に係るイオン発生装置は、正イオンを生成する正イオン発生部４０と、負イオンを生成する負イオン発生部４２と、正イオン発生部４０に正高電圧を印加する正高電圧生成回路４０ａと、負イオン発生部４２に負高電圧を印加する負高電圧生成回路４２ａとを備える。正高電圧生成回路４０ａ及び負高電圧生成回路４２ａは高電圧発生回路４により高電圧が供給されている。
【００７３】
正イオン発生部４０及び負イオン発生部４２は、矩形状の回路基板１０の長手方向に並設されている。
正イオン発生部４０は、回路基板１０に立設された放電針５０及び誘導電極５１を備え、放電針５０は円柱状をなし、その先端部５０ａは先細りのテーパ状になっている。
負イオン発生部４２は、回路基板１０に立設された放電針５２及び誘導電極５３を備え、放電針５２は円柱状をなし、その先端部５２ａは先細りのテーパ状になっている。
【００７４】
誘導電極５１及び誘導電極５３は、側面視逆Ｌ字状をなし、回路基板１０に植設された共通の矩形板状の脚部５４を有する。脚部５４の上端には、横方向に延出された矩形状の天板部５６と、横方向に延出された矩形状の天板部５８とを有する。
【００７５】
天板部５６、５８の略中央部に、放電針５０、５２の直径よりも大径の開口部５６ａ、５８ａが、それぞれ放電針５０、５２と同心に形成されている。放電針５０の先端は、誘導電極５１の天板部５６の開口部５６ａから突出している。放電針５２の先端は、誘導電極５３の天板部５８の開口部５８ａから突出している。開口部５６ａ、５８ａの周縁は放電針５０、５２のそれぞれの先端部５０ａ、５２ａに対向している。
誘導電極５１、５３のそれぞれの開口部５６ａ、５８ａは、蓋体６ｂのイオン放出口７ａ、７ｂとそれぞれ同心に形成されている。開口部５６ａ、５８ａはそれぞれイオン放出口７ａ、７ｂよりも小径にしている。
【００７６】
放電針５０及び誘導電極５１は正高電圧生成回路４０ａに接続されている。放電針５０と誘導電極５１との間に正高電圧が印加された場合、放電針５０の針先で大気圧正コロナ放電が発生するようにしている。正コロナ放電により生成された正及び負イオンのうち、正イオンが、誘導電極５１の開口部５６ａを経て、筐体６のイオン放出口７ａから放出されるようになっている。
【００７７】
放電針５２及び誘導電極５３は負高電圧生成回路４２ａに接続されている。放電針５２と誘導電極５３との間に負高電圧が印加された場合、放電針５２の針先で大気圧負コロナ放電が発生するようにしている。負コロナ放電により生成された正及び負イオンのうち、負イオンが、誘導電極５３の開口部５８ａを経て、筐体６のイオン放出口７ｂから放出されるようになっている。
【００７８】
正イオン発生部４０及び負イオン発生部４２に隣接して、放電針５０、５２の先端部５０ａ、５２ａに吸着した塵埃を除去して清掃するための清掃体５９が、筐体６の長手方向の一側部側に沿って収容されている。
【００７９】
清掃体５９は、筐体６内を手動で移動可能な直方体状の摺接部２０と、摺接部２０の長手方向の側面の略中央部に突設された角柱状の基台２１ａ、２１ｂとを有する。摺接部２０の長手方向と交差する方向であって、基台２１ａ、２１ｂ側面のそれぞれの略中央部に、角棒状の清掃部２３ａ、２３ｂがそれぞれ突設されている。
【００８０】
清掃部２３ａ、２３ｂは筐体６の奥部側に突出している。摺接部２０の上面部２０ａの一端側に、摺接部２０を手動でスライドさせる場合に抓みとなる直方体状の操作部２０ｂが、長手方向を摺接部２０の長手方向と同方向にして形成されている（図４を参照）。
各清掃部２３ａ、２３ｂは図４に示す清掃部２３と同様の構成であり、さらにその他の構成も実施の形態１と同様であるため、詳細な説明を省略する。
【００８１】
次に実施の形態４の作用について説明する。
実施の形態４に係るイオン発生装置では、大気圧中で正高電圧生成回路４０ａにより正イオン発生部４０の放電針５０に正高電圧を印加した場合、放電針５０の先端部５０ａの針先で正コロナ放電が発生する。正コロナ放電が発生したとき、針先近傍にプラズマが発生し、正イオン及び負イオンが生成する。
【００８２】
次に、放電針５０に印加する高電圧が正極性であるため、負イオンは電界によって放電針５０に直ちに吸引されて消滅する。正イオンは、イオン放出口７ａから放出される。
【００８３】
正イオン発生部４０の放電針５０に正高電圧を印加すると同時に、大気圧中で負高電圧生成回路４２ａにより負イオン発生部４２の放電針５２に負高電圧を印加した場合、放電針５２の先端部５２ａの針先で負コロナ放電が発生する。負コロナ放電が発生したとき、針先近傍にプラズマが発生し、正イオン及び負イオンが生成する。
【００８４】
次に、放電針５２に印加する高電圧が負極性であるため、正イオンは電界によって放電針５２に直ちに吸引されて消滅する。負イオンは、イオン放出口７ｂから放出される。
【００８５】
実施の形態４に係るイオン発生装置のイオン放出口７ａから放出された正イオンと、イオン放出口７ｂから放出された負イオンは、相互作用により空気中ウイルスを大きく不活性にして、空気環境を浄化する。
【００８６】
イオン発生性能が低下した場合又は一定の使用期間経過した場合、放電針５０、５２の先端部５０ａ、５２ａを清掃する。
放電針５０、５２の先端部５０ａ、５２ａを清掃する場合、先ず、操作部２０ｂを長孔３３ｂに沿ってスライドさせたとき、清掃体５９の摺接部２０が第１案内溝３２を摺動して移動域を移動し、第１案内溝３２及び第２案内溝３３が摺接部２０を案内する。
【００８７】
次に、摺接部２０が移動したとき、放電針５０、５２の先端部５０ａ、５２ａは、横方向から清掃体５９の清掃部２３ａ、２３ｂのそれぞれのブラシ室２４ａ、２４ｂに入室していく。放電針５０、５２の先端部５０ａ、５２ａがそれぞれのブラシ室２４ａ、２４ｂに入室又は退室していくとき、ブラシ室２４ａ、２４ｂのそれぞれのブラシは、放電針５０、５２の先端部５０ａ、５２ａにそれぞれ圧接して、先端部５０ａ、５２ａの表面に吸着した塵埃を除去し、清掃する。
【００８８】
次いで、操作部２０ｂのスライドの往復を複数回繰り返して、放電針５０、５２の先端部５０ａ、５２ａの清掃をする。
そして、放電針５０、５２の先端部５０ａ、５２ａの清掃が終了した場合、イオン発生装置が使用開始可能状態になる。
【００８９】
イオン発生装置の清掃体５９を交換する場合、筐体６から蓋体６ｂを取り外して、筐体本体６ａの清掃体５９を交換する。清掃体５９を交換後、筐体本体６ａに蓋体６ｂで蓋をする。
【００９０】
このように実施の形態４に係るイオン発生装置では、正イオン及び負イオンを同時に生成することができる。また清掃部２３ａ、２３ｂにより放電針５０、５２の先端部５０ａ、５２ａに吸着・堆積した塵埃をそれぞれ同時に除去することができる。また蓋体６ｂを取り外すことにより容易に清掃体５９を交換することができる。
【００９１】
なお、実施の形態４では清掃部２３ａ、２３ｂを二個設けたが、放電針５０、５２の間に位置するように一個だけ設けてあっても差し支えない。即ち、一個の清掃部で複数の放電針を清掃するようにしてもよい。
また、各放電針５０、５２に印加する高電圧としては、特にパルス電圧である必要はなく、直流高電圧でもよく、また印加するタイミングも特に交互に印加する必要はなく、同時に印加するようにしても差し支えない。
【００９２】
（実施の形態５）
次に実施の形態５について説明する。
実施の形態１〜４では、清掃体１８、５９の摺接部２０を案内する案内溝の第１案内溝３２及び第２案内溝３３は矩形状をなし、放電針８、５０、５２に対して横方向の直線上に清掃体１８、５９をスライドさせる構造である。これに対して実施の形態５では案内溝が湾曲しており、放電針に対して横方向の曲線上に清掃体をスライドさせる構造である。
実施の形態５における案内溝及び清掃体以外の構成は、実施の形態１と同様であるので詳細な説明を適宜省略する。
【００９３】
図１２は実施の形態５に係るイオン発生装置内部の概略構成図、図１３はイオン発生装置を示す外観図、図１４は実施の形態５に係る清掃体を示す斜視図である。
実施の形態５に係るイオン発生装置では、５個のイオン発生部６０を備えている。イオン発生部６０は、イオン発生用の放電針６１及び誘導電極６５と、回路基板１０とを備え、放電針６１が回路基板１０に立設されている。
５個のイオン発生部６０のそれぞれの放電針６１ａ、６１ｂ、６１ｃ、６１ｄ、６１ｅ（放電針６１）は、半円の略円周上の５等配の位置に配設されている。
【００９４】
誘導電極６５は半輪状をなし、天板部６７ａ、６７ｂ、６７ｃ、６７ｄ、６７ｅ（天板部６７）が、５等配の位置に突設されている。半輪状をなす誘導電極６５の両端部は、回路基板１０に植設された矩形状の電極５４ａ、５４ｂに接合されている。
【００９５】
天板部６７の略中央部に、放電針６１の直径よりも大径の開口部６８が、放電針６１と同心に形成されている。放電針６１ａ、６１ｂ、６１ｃ、６１ｄ、６１ｅ（放電針６１）の先端は、誘導電極６５の天板部６７ａ、６７ｂ、６７ｃ、６７ｄ、６７ｅ（天板部６７）のそれぞれの開口部６８から突出している。開口部６８の周縁は放電針６１の先端部に対向している。
誘導電極６５の天板部６７ａ、６７ｂ、６７ｃ、６７ｄ、６７ｅのそれぞれの開口部６８ａ、６８ｂ、６８ｃ、６８ｄ、６８ｅ（開口部６８）は、蓋体６ｂのイオン放出口７ａ、７ｂ、７ｃ、７ｄ、７ｅ（イオン放出口７）と略同心になっており、開口部６８の口径はイオン放出口７よりも小径にしている。
【００９６】
筐体本体６ａの長手方向の一側部寄りに、５個の放電針６１ａ、６１ｂ、６１ｃ、６１ｄ、６１ｅを囲うように、半輪状の第１案内溝６２が形成されている。第１案内溝６２は放電針６１の配設された位置をなす半円と略同心に形成されている。即ち、それぞれの放電針６１と第１案内溝６２との間隔は、略同寸法になっている。
【００９７】
蓋体６ｂには、第１案内溝６２に対向して、半輪状の第２案内溝６３が形成されている。第１案内溝６２は側断面視凹字状をなし、第２案内溝６３は側断面視逆凹字状をなしている。第１案内溝６２及び第２案内溝６３の長さ及び溝幅の寸法は、略同寸法にしている。
第２案内溝６３の天井部に沿って湾曲した案内孔６３ｂが貫通しており、清掃体６４をスライドさせるための直方体状の操作部２０ｂが、案内孔６３ｂから突出している。
【００９８】
清掃体６４は、案内溝と同じように湾曲した直方体状の摺接部６６を有する。摺接部６６の上面部６６ａ及び下面部６６ｃは、それぞれ筐体６内の第１案内溝６２及び第２案内溝６３に嵌入して摺接している。摺接部６６の上面部６６ａの略中央部に、操作部２０ｂが立設されている。
第１案内溝６２及び第２案内溝６３は、清掃体６４の摺接部６６の上下両端部を挟持しており、案内孔６３ｂから突出している操作部２０ｂのスライド操作により、清掃体６４を放電針６１に対して横方向にスライドさせて案内するようになっている。
【００９９】
摺接部６６の側面に、角棒状の清掃部２３が、上面を蓋体６ｂの天井面に対向させて、長手方向を筐体６奥部側にして突設されている。清掃部２３の長手方向の端部側に、横向きに貫通した角孔状のブラシ室２４が形成されている。
清掃体６４の摺接部６６が第１案内溝６２及び第２案内溝６３を移動したとき、放電針６１の先端部はブラシ室２４に入室又は退室するようになっている（図５を参照）。
ブラシ室２４の構成は実施の形態１と同様であるので詳細な説明を省略する。
【０１００】
このような実施の形態５では、イオン発生性能が低下した場合又は一定の使用期間経過した場合、放電針６１の先端部を清掃する。
放電針６１の先端部を清掃する場合、先ず、操作部２０ｂを湾曲した案内孔６３ｂに沿ってスライドさせたとき、清掃体６４の摺接部６６が、湾曲した第１案内溝６２及び第２案内溝６３に沿って摺動して移動域を移動する。第１案内溝６２及び第２案内溝６３は、摺接部６６を案内する（図１２の黒矢印を参照）。
【０１０１】
摺接部６６が移動したとき、放電針６１の先端部は、横方向から清掃体６４の清掃部２３の孔２５ｂを通ってブラシ室２４に入室していく（図５及び図６を参照）。放電針６１の先端部がブラシ室２４に入室又は退室していくとき、ブラシ２９ａ及びブラシ２９ｂは放電針６１ａ、６１ｂ、６１ｃ、６１ｄ、６１ｅの先端部に順次圧接して、先端部の表面に吸着した塵埃を除去し、清掃する。
【０１０２】
このとき第１案内溝６２及び第２案内溝６３は湾曲しているため、清掃体６４が放電針６１に対して回転するように曲線上を移動して、放電針６１の先端部を清掃する。清掃体６４が回転するように移動するため、筐体６のスペース効率が向上し、放電針６１の集積化が可能になる。
【０１０３】
次いで、操作部２０ｂのスライドの往復を複数回繰り返して、放電針６１の先端部の清掃をする。
そして、放電針６１の先端部の清掃が終了した場合、イオン発生装置が使用開始可能状態になる。
【０１０４】
このように実施の形態５では、放電針６１の先端部に吸着した塵埃を効果的に除去することができる。
【０１０５】
なお、実施の形態５では清掃体６４の清掃部２３が一つの場合を例に挙げたが、放電針６１の個数と最大同数の複数の清掃部２３を備えるようにしてもよい。また清掃体６４は一つにしていたが、清掃体６４自体を複数個備えるようにしてもよい。
【０１０６】
以上説明した実施の形態１〜５はそれぞれ適宜組み合わせることができる。例えば、実施の形態４及び５は、筐体６を実施の形態３のように開閉可能な構造にしてもよい。
また、ブラシの繊維状の樹脂の植設方向を清掃部２３の長手方向にしているが、筐体本体６ａから蓋体６ｂに向かう方向、つまりブラシ室２４の天井面に植設しても差し支えない。
【０１０７】
（実施の形態６）
次に実施の形態６について説明する。
本発明の電気機器は、上述のイオン発生装置を備えたものである。電気機器としては、空気調和機、空気清浄機、除湿器、加湿器、ファンヒータ、冷蔵庫等を挙げることができる。
実施の形態６に係る電気機器として、空気清浄機を例に挙げて説明する。
【０１０８】
図１５は実施の形態６に係る空気清浄機の背面斜視図、図１６は空気清浄機の側断面図である。
実施の形態６に係る空気清浄機は、扁平な箱を垂直に立てた縦姿勢の本体７０と、本体７０を支えるベース７１と、本体７０の正面に、本体７０と間隔をおいて取り付けられたフロントカバー７２とを有する。フロントカバー７２の中央には縦長のスリットを複数個、横に並べた吸込口７３が形設されている。フロントカバー７２の周縁と本体７０との隙間は、空気の側面吸込口７４となっている。
【０１０９】
本体７０の背面部にはリアカバー８０が覆設されている。リアカバー８０の上部には、清浄化された空気の吹出口８１とイオン吹出口８２が形設されている。吹出口８１及びイオン吹出口８２は、縦長のスリットを複数個、横に並べて形設されている。８４は矩形の凹部により構成した把手部を示し、８５は別体の壁取付金具（図示せず）等を使って本体７０を壁に掛けるための壁掛け穴を示す。
【０１１０】
図１６中、７５はフィルタ、８６はモータ、８７はファンを示す。
モータ８６によってファン８７が回転した場合、吸込口７３及び側面吸込口７４から空気が吸い込まれる。空気はフィルタ７５を経てファン８７に至り、ここで上方に向きを変えて吹出口８１に向かう（図１６の白抜き矢印を参照）。吹出口８１に向かう空気通路８８の途中からバイパス通路８９が分岐し、空気はイオン吹出口８２へと向かう。このバイパス通路８９の途中に、イオン発生装置が、イオン放出口７（図２を参照）をイオン吹出口８２に向けて配置されている。
イオン発生装置のイオン放出口７にイオン吹出口８２が対向しており、イオン吹出口８２から正イオン及び負イオンが、空気流と共にそれぞれ吹き出るようになっている。
【０１１１】
正イオン及び負イオンの生成量は、環境に応じて、即ち空気の汚染度に応じて調整できるようになっている。例えば気中ウイルスが多い場合、除菌又は殺菌のため、正イオン及び負イオンの相互作用効果を上げるため、正イオン及び負イオンの生成量が等量となるように調整している。またリフレッシュ効果を上げる場合には、負イオンの生成量を多くするようにしている。
【０１１２】
このような実施の形態６に係る空気清浄機では、イオン発生装置から放出された正イオン及び負イオンは、ファン８７により生じた空気流にのってイオン吹出口８２から室内に吹き出す。室内に吹き出た正イオン及び負イオンは、相互作用により空気中ウイルスを大きく不活性にして、空気環境を浄化する。
【０１１３】
このように実施の形態６に係る空気清浄機は、イオン発生効率を落とさず長期間使用することができ、空気環境を浄化することができる。
【０１１４】
なお、実施の形態６では正イオン及び負イオンが吹き出るようにしているが、正イオン及び負イオンのいずれかが、吹き出るようにしてもよい。
【図面の簡単な説明】
【０１１５】
【図１】本発明の実施の形態１に係るイオン発生装置の概略構成図である。
【図２】イオン発生装置を示す外観図である。
【図３】イオン発生装置を示す図２のＩＩＩ−ＩＩＩ側断面図である。
【図４】清掃体を示す斜視図である。
【図５】清掃体に係る清掃部のブラシ室に入室した放電針を示す側面図である。
【図６】ブラシ室の下面を示す図５のＶＩ−ＶＩ断面図である。
【図７】実施の形態１に係る筐体の部分側断面図である。
【図８】実施の形態２に係る清掃体を示す側面図である。
【図９】実施の形態３に係る筐体を示す斜視図である。
【図１０】実施の形態４に係るイオン発生装置の概略構成図である。
【図１１】イオン発生装置を示す外観図である。
【図１２】実施の形態５に係るイオン発生装置内部の概略構成図である。
【図１３】イオン発生装置を示す外観図である。
【図１４】実施の形態５に係る清掃体を示す斜視図である。
【図１５】実施の形態６に係る空気清浄機の背面斜視図である。
【図１６】空気清浄機の側断面図である。
【符号の説明】
【０１１６】
６  筐体
６ａ  筐体本体
６ｂ  蓋体
８、５０、５２、６１  放電針
１８、５９、６４  清掃体
２０、６６  摺接部
２０ｂ  操作部
２３  清掃部
２９ａ、２９ｂ、３６  ブラシ（清掃手段）
３２、６２  第１案内溝（案内部）
３３、６３  第２案内溝（案内部）
３３ｂ、６３ｂ  長孔（孔）
８２  イオン吹出口
【図１】
2010027390.tif 000003
【図２】
2010027390.tif 000004
【図３】
2010027390.tif 000005
【図４】
2010027390.tif 000006
【図５】
2010027390.tif 000007
【図６】
2010027390.tif 000008
【図７】
2010027390.tif 000009
【図８】
2010027390.tif 000010
【図９】
2010027390.tif 000011
【図１０】
2010027390.tif 000012
【図１１】
2010027390.tif 000013
【図１２】
2010027390.tif 000014
【図１３】
2010027390.tif 000015
【図１４】
2010027390.tif 000016
【図１５】
2010027390.tif 000017
【図１６】
2010027390.tif 000018